(57)【特許請求の範囲】
【請求項１】
樹脂で同時にモールド成形された固定子鉄心と、巻線と、配線基板とを有し、電源リードを介して電気を取り込み回転磁界を発生する固定子と、該固定子の外側に配置されて前記回転磁界で回転する回転子と、前記樹脂により前記固定子鉄心の内径部に保持され、該回転子の回転軸を支持する一対の軸受とを備えたアウターローターモータにおいて、
前記一対の軸受の一方の軸受を前記回転子の鉄心を保持する回転子フレームにより保護する構成とし、
前記配線基板は前記固定子において前記回転子の内部底面に対向する面と反対に位置する面に位置し、
前記配線基板と前記電源リードとは前記配線基板において前記回転子の内部底面と反対の面で接続し、
前記電源リードを通して保護するブッシュと前記一対の軸受の他方の軸受を保護する軸受保護材との両方の機能を備えた一体のカバーを、前記配線基板から前記回転子の内部底面に向かう方向に前記固定子に取付けたことを特徴とするアウターローターモータ。
【請求項２】
樹脂で同時にモールド成形された固定子鉄心と、巻線と、配線基板とを有し、電源リードを介して電気を取り込み回転磁界を発生する固定子と、該固定子の外側に配置されて前記回転磁界で回転する回転子と、前記樹脂により前記固定子鉄心の内径部に保持され、該回転子の回転軸を支持する一対の軸受とを備えたアウターローターモータにおいて、
前記一対の軸受の一方の軸受を前記回転子の鉄心を保持する回転子フレームにより保護する構成とし、
前記配線基板は前記固定子において前記回転子の内部底面に対向する面と反対に位置する面に位置し、
前記配線基板と前記電源リードとは前記配線基板において前記回転子の内部底面と反対の面で接続し、
前記電源リードを通して保護する電源リード保護部材を保持する機能と前記一対の軸受の他方の軸受を保護する軸受保護材との両方の機能を備えた一体のカバーを、前記配線基板から前記回転子の内部底面に向かう方向に前記固定子に取付けたことを特徴とするアウターローターモータ。
【請求項３】
前記カバーが該モータを他の部材に取付けるためのモータ取付部材の共用により前記固定子に取付けられていることを特徴とする請求項１または２記載のアウターローターモータ。
【請求項４】
前記カバーが軸受を保持する軸受保持部を備え、該カバーが前記固定子に取付けられていることを特徴とする請求項１または２記載のアウターローターモータ。
【発明の詳細な説明】
【０００１】
【発明の属する技術分野】
この発明はアウターローターモータに係り、特に、回転軸用軸受の保護あるいは電源リードの保護に関するものである。
【０００２】
【従来の技術】
図５は、例えば実開平６−７４０５６号に示された従来のアウターローターモータを示す側断面図である。ここで、固定子５は、固定子鉄芯２、固定子鉄芯２に巻かれる巻線１、及び固定子鉄芯２と巻線１をモールドする樹脂４等から成る。一方、回転子１５は、回転子鉄芯１０、回転子鉄芯１０を保持する回転子フレーム１１、及び回転軸１２等からなる。そして、回転軸１２は間隔を置いて配置された軸受８ａ，８ｂにより保持されている。
また、回転子１５および回転軸１２出力側の軸受８ａはブラケット１３により、もう一方の軸受８ｂはエンドブラケット９により、それぞれカバーされて保護されている。
さらに、固定子５に電源を供給する電源リード１６が、電源リード１６を保護するブッシュ１７を通して配線基板３まで導かれている。
【０００３】
上記アウターローターモータは、固定子５により発生する回転磁界によって回転子１５が回転する。この時、回転子１５は回転軸１２を中心にして軸受８ａ，８ｂによって回転支持される。
【０００４】
【発明が解決しようとする課題】
このような従来のアウターローターモータは、軸受保護やリード保護をそれぞれ単独の機能を有する別々の部材で行っているので、これらの部品をそれぞれ準備しなければならない煩わしさや、組立性に関して不便な点があった。
【０００５】
この発明は、上記のような問題を解消するためになされたもので、部品数を削減して組立性を向上させた、アウターローターモータを提供することを目的とする。
【０００６】
【課題を解決するための手段】
この発明のアウターローターモータは、樹脂で同時にモールド成形された固定子鉄心と、巻線と、配線基板とを有し、電源リードを介して電気を取り込み回転磁界を発生する固定子と、該固定子の外側に配置されて前記回転磁界で回転する回転子と、樹脂により固定子鉄心の内径部に保持され、該回転子の回転軸を支持する一対の軸受とを備えたアウターローターモータにおいて、前記一対の軸受の一方の軸受を前記回転子の鉄心を保持する回転子フレームにより保護する構成とし、前記配線基板は前記固定子において前記回転子の内部底面に対向する面と反対に位置する面に位置し、前記配線基板と前記電源リードとは前記配線基板において前記回転子の内部底面と反対の面で接続し、前記電源リードを通して保護するブッシュと前記一対の軸受の他方の軸受を保護する軸受保護材との両方の機能を備えた一体のカバーを、前記配線基板から前記回転子の内部底面に向かう方向に前記固定子に取付けたものである。
【０００７】
また、樹脂で同時にモールド成形された固定子鉄心と、巻線と、配線基板とを有し、電源リードを介して電気を取り込み回転磁界を発生する固定子と、該固定子の外側に配置されて前記回転磁界で回転する回転子と、樹脂により固定子鉄心の内径部に保持され、該回転子の回転軸を支持する一対の軸受とを備えたアウターローターモータにおいて、前記一対の軸受の一方の軸受を前記回転子の鉄心を保持する回転子フレームにより保護する構成とし、前記配線基板は前記固定子において前記回転子の内部底面に対向する面と反対に位置する面に位置し、前記配線基板と前記電源リードとは前記配線基板において前記回転子の内部底面と反対の面で接続し、前記電源リードを通して保護する電源リード保護部材を保持する機能と前記一対の軸受の他方の軸受を保護する軸受保護材との両方の機能を備えた一体のカバーを、前記配線基板から前記回転子の内部底面に向かう方向に前記固定子に取付けたものである。
【０００８】
また、前記カバーが該モータを他の部材に取付けるためのモータ取付部材の共用により前記固定子に取付けられているものである。
【０００９】
さらに、前記カバーが前記軸受を保持する軸受保持部を備え、該カバーが前記固定子に取付けられているものである。
【００１０】
【発明の実施の形態】
以下、この発明の実施の形態を図に基づいて説明する。
実施の形態１．
図１は、この発明の実施の形態１を示すアウターローターモータの断面側面図である。図１において、固定子５は、固定子鉄心２、固定子鉄芯２に巻かれる巻線１、固定子鉄芯２と巻線１を同時にモールドする樹脂４、および配線基板３等から成る。一方、回転子１５は、回転子鉄芯１０、回転子鉄芯１０を保持する回転子フレーム１１、および回転軸６等から成る。そして、回転軸１２が軸受８ａ，８ｂによって保持されている。
【００１１】
回転軸１２出力側の軸受８ａは回転子フレーム１１により保護されているのに対して、回転軸１２のもう一方の軸受８ｂは、固定子５に取付けたカバー１８により保護されている。さらに、カバー１８の一部には、固定子５に電気を供給する電源リード１６を通して保護するブッシュ部１８ａが一体成形されている。
【００１２】
この例によれば、カバー１８は、軸受８ｂを保護する機能と電源リード１６の保護するブッシュとしての機能の両方を備えるとともに、一方向より挿入することにより固定子５の端面に取付固定するようにしている。なお、必要に応じてネジ固定を併用するとよい。したがって、部品数が削減し組立性も向上するため、品質向上、標準化、およびコスト低減を同時に達成することができる。
【００１３】
実施の形態２．
図２は、この発明の実施の形態２を示すアウターローターモータの断面側面図である。これは、実施の形態１におけるカバー１８の固定方法を変えたものである。すなわち、カバー１８を固定子５に設けられたモータ取付穴５ａの位置まで拡大し、モータ取付穴５ａに相当するカバー１８の位置にカバー取付穴１８ｂを形成し、モータ取付時に同時にネジによりカバー１８を取付固定するようにしたものである。これによって、カバー１８の取付工程を簡略化することができる。
【００１４】
実施の形態３．
図３は、この発明の実施の形態３を示すアウターローターモータの断面側面図である。これは、実施の形態１におけるカバー１８に、軸受８ｂを保持する軸受保持部１８ｃを一体成形により形成したものである。これによって、軸受８ｂの振動等を積極的に防止することが可能になる。
【００１５】
実施の形態４．
図４は、この発明の実施の形態４を示すアウターローターモータの断面側面図である。これは、実施の形態１のカバー１８のブッシュ部１８ａに代えて、その部分を外側に突出させて内部に電源リード１６の保護部材を保持する空間、すなわち電源リード保護部材保持部１８ｄを形成し、そこに、例えばチューブ等からなる電源リード保護部材１９を挿入して、電源リード１６を保護するようにしたものである。
【００１６】
なお、上記各実施の形態で示した態様を、任意に組み合わせた態様も可能であることは言うまでもない。
【００１７】
【発明の効果】
請求項１の発明のモータによれば、電源リードを通して保護するブッシュと軸受を保護する軸受保護材との両方の機能を備えた一体のカバーを固定子に取付けているので、その組立性、品質およびコストを効果的に改善することができる。
【００１８】
請求項２の発明のモータによれば、電源リードを通して保護する電源リード保護部材を保持する機能と軸受を保護する軸受保護材との両方の機能を備えた一体のカバーを、固定子に取付けているので、ここでもその組立性、品質およびコストを効果的に改善することができる。
【００１９】
請求項３の発明のモータによれば、軸受を保護するカバーを、該モータを他の部材に取付けるためのモータ取付部材の共用により固定子に取付けているので、組立工程を簡略化できる。
【００２０】
請求項４の発明のモータによれば、軸受を保持する軸受保持部を備えた軸受を保護するカバーを、固定子に取付けているので、組立性と軸受の振動などの問題が同時に改善される。
【図面の簡単な説明】
【図１】  この発明の実施の形態１を示すアウターローターモータの断面側面図である。
【図２】  この発明の実施の形態２を示すアウターローターモータの断面側面図である。
【図３】  この発明の実施の形態３を示すアウターローターモータの断面側面図である。
【図４】  この発明の実施の形態４を示すアウターローターモータの断面側面図である。
【図５】  従来のアウターローターモータを示す断面側面図である。
【符号の説明】
１  巻線、２  固定子鉄芯、４  モールド樹脂、５  固定子、５ａ  モータ取付穴、８ａ，８ｂ  軸受、１０  回転子鉄芯、１１  回転子フレーム、１２  回転軸、１５  回転子、１６  電源リード、１８  カバー、１８ａ  ブッシュ部、１８ａ  カバー取付穴、１８ｃ  カバー軸受保持部、１８ｄ  電源リード保護部材保持部。
【図１】
0003920450.tif 000002
【図２】
0003920450.tif 000003
【図３】
0003920450.tif 000004
【図４】
0003920450.tif 000005
【図５】
0003920450.tif 000006